(57)【特許請求の範囲】
【請求項１】
設置対象に設置されて画像データを撮像する監視カメラと、該監視カメラから受信した画像データを記憶するセンタ装置とを備える画像管理システムであって、
前記監視カメラは、
所定の範囲を広角で撮影した広角画像データを取得する撮影部と、
広角で撮影したことにより生じた前記広角画像データの歪を補正して、前記広角画像データから補正画像データを生成する画像補正部と、
前記補正画像データを前記センタ装置に送信する通信部と、
前記設置対象における災害の発生を検出する災害検出部と、
前記災害検出部が災害の発生を検出すると、前記補正画像データに代えて前記広角画像データを前記センタ装置に送信する送信制御を行う制御部と、
を備えることを特徴とする画像管理システム。
【請求項２】
前記センタ装置は、
前記監視カメラから広角画像データを受信した場合に、前記広角画像データの歪を補正して、前記広角画像データから災害画像データを生成する画像処理部と、
前記監視カメラから受信した前記補正画像データと、前記画像処理部により生成した前記災害画像データとを記憶する記憶部と、
を備える、請求項１に記載の画像管理システム。
【請求項３】
前記センタ装置は、
さらに、利用者端末からの要求信号を受け付けて前記災害画像データを該利用者端末に送信する利用者表示制御部を備える、請求項２に記載の画像確認システム。
【請求項４】
設置対象に設置されて画像データを撮像する監視カメラであって、
前記監視カメラは、
所定の範囲を広角で撮影した広角画像データを取得する撮影部と、
広角で撮影したことにより生じた前記広角画像データの歪を補正して、前記広角画像データから補正画像データを生成する画像補正部と、
前記補正画像データを外部の機器に出力する出力部と、
前記設置対象における災害の発生を検出する災害検出部と、
前記災害検出部が災害の発生を検出すると、前記補正画像データに代えて前記広角画像データを前記外部の機器に送信する送信制御を行う制御部と、
を備えることを特徴とする監視カメラ。
【請求項５】
移動体に備えられて画像データを撮像する監視カメラと、該監視カメラから受信した画像データを記憶するセンタ装置とを備える画像管理システムであって、
前記監視カメラは、
前記移動体の現在位置を取得する位置取得部と、
所定の範囲を広角で撮影した広角画像データを取得する撮影部と、
広角で撮影したことにより生じた前記広角画像データの歪を補正して、前記広角画像データから補正画像データを生成する画像補正部と、
前記補正画像データを前記センタ装置に送信する通信部と、
前記移動体の現在位置における災害の発生を検出する災害検出部と、
前記災害検出部が災害の発生を検出すると、前記補正画像データに代えて前記広角画像データを前記センタ装置に送信する送信制御を行う制御部と、
を備えることを特徴とする画像管理システム。
【発明の詳細な説明】
【技術分野】
【０００１】
本発明は、広角で画像データを撮影する監視カメラとセンタ装置を備える画像管理システムに関し、監視カメラからセンタ装置へ画像データを送信する技術に関する。
【背景技術】
【０００２】
従来より、施設や建物などの物件に監視カメラを設置して、ネットワーク経由でその映像を確認したり、遠隔の監視センタにて異常の監視を行う監視カメラシステムが知られている。こうした監視カメラシステムは、通常、システム設置者が設置対象の監視目的のために設置するもので、当該システム設置者しかカメラ映像を取り扱えない。
【０００３】
一方、災害などが発生したときに監視カメラの映像を分配して外部送信し、所定のサーバに映像情報を収集するカメラシステムが提案されている（例えば、特許文献１参照）。このカメラシステムによれば、監視カメラの映像から災害時に各地の被災状況を把握することができる。
【０００４】
このような監視カメラシステムに用いられるカメラとして、少ない台数で広範囲を撮影するために全方位カメラなど超広角レンズで撮影をするカメラが知られている。このような超広角レンズを用いた監視カメラでは、超広角撮像した画像の歪みを補正したり、特定領域を切り出したりして、監視映像が生成される。
【０００５】
一方、カメラから映像伝送を受けるホストコンピュータ側で歪補正などを集中的に行う場合には、ホストコンピュータへの負荷集中を避けるために、例えば、カメラ側で歪補正などの画像処理を行った後に映像伝送する技術が提案されている（例えば、特許文献２参照）。
【先行技術文献】
【特許文献】
【０００６】
【特許文献１】特開２０１３−１８７７６０号公報
【特許文献２】特開２００７−２２８５３１号公報
【発明の概要】
【発明が解決しようとする課題】
【０００７】
上述のように、超広角レンズで撮影をするカメラでは監視映像を得るのに画像処理が必要となるが、特許文献１のように、災害などが発生したときに所定のサーバに映像情報を収集する場合に、このような画像処理をどのように行うのが良いかについては、特許文献１には考慮がない。
【０００８】
例えば、災害が発生すると、通信線の断線や停電、ネットワークの輻輳など通信障害が発生する可能性が高まり、特許文献２のようにカメラ側で画像処理を行うと、伝送タイミングに遅れが生じ、映像を伝送できなくなるおそれがある。しかし、例えば地震が発生したときには、揺れはじめてから停電やネットワークの輻輳が生じるまでにある程度の時間がある場合には、短時間で転送が終了すれば災害発生時の映像を伝送できる可能性がある。
【０００９】
本発明は、上記の課題に鑑みてなされたもので、通常時には、センタ装置への処理負荷の集中を避けることができ、災害時には、いち早く画像データを監視カメラからセンタ装置へ送信することのできる画像管理システムを提供することを目的とする。
【課題を解決するための手段】
【００１０】
本発明の画像管理システムは、設置対象に設置されて画像データを撮像する監視カメラと、該監視カメラから受信した画像データを記憶するセンタ装置とを備える画像管理システムであって、前記監視カメラは、所定の範囲を広角で撮影した広角画像データを取得する撮影部と、広角で撮影したことにより生じた前記広角画像データの歪を補正して、前記広角画像データから補正画像データを生成する画像補正部と、前記補正画像データを前記センタ装置に送信する通信部と、前記設置対象における災害の発生を検出する災害検出部と、前記災害検出部が災害の発生を検出すると、前記補正画像データに代えて前記広角画像データを前記センタ装置に送信する送信制御を行う制御部と、を備えている。
【００１１】
この構成により、監視カメラは、所定の範囲（監視エリア）を広角で撮影して広角画像データを取得する。さらに、監視カメラは、広角画像データの歪を補正した補正画像データを生成する。通常時には、監視カメラは補正画像データをセンタ装置に送信する。これにより、センタ装置で広角画像データの歪を補正する場合に比べて、センタ装置の処理負荷を軽減することができる。一方、災害時（災害の発生を検出したとき）には、監視カメラは、補正画像データの生成を待たずに、いち早く広角画像データをセンタ装置に送信する。これにより、災害時には、監視カメラからセンタ装置に短時間で画像データを送ることができる。したがって、通常時には、センタ装置への処理負荷の集中を避けることができ、災害時には、通信線の断線やネットワークの通信障害などにより監視カメラからセンタ装置に画像データを送信できなくなるリスクを低減することができ、監視表示装置などにおいて状況確認が可能となる。
【００１２】
また、本発明の画像管理システムでは、前記センタ装置は、前記監視カメラから広角画像データを受信した場合に、前記広角画像データの歪を補正して、前記広角画像データから災害画像データを生成する画像処理部と、前記監視カメラから受信した前記補正画像データと、前記画像処理部により生成した前記災害画像データとを記憶する記憶部と、を備えてもよい。
【００１３】
この構成により、災害時に、監視カメラからセンタ装置に広角画像データが送信された場合には、センタ装置で、広角画像データの歪を補正した災害画像データを生成して記憶する。これにより、災害時に、監視カメラからセンタ装置に補正画像データが送信されなかった場合であっても、センタ装置で災害画像データを生成して、監視表示装置や利用者端末などへ提供することが可能になる。
【００１４】
また、本発明の画像管理システムでは、前記センタ装置は、さらに、利用者端末からの要求信号を受け付けて前記災害画像データを該利用者端末に送信する利用者表示制御部を備えてもよい。
【００１５】
この構成により、利用者端末からの要求に応じて、センタ装置から利用者端末へ災害時の広角画像データを補正した災害画像データを送信する。これにより、利用者端末のユーザ（利用者）は、災害時に、監視カメラからセンタ装置に補正画像データが送信されなかった場合であっても、災害画像データ（センタ装置で広角画像データの歪を補正した画像データ）を確認することができる。
【００１６】
本発明の監視カメラは、設置対象に設置されて画像データを撮像する監視カメラであって、前記監視カメラは、所定の範囲を広角で撮影した広角画像データを取得する撮影部と、広角で撮影したことにより生じた前記広角画像データの歪を補正して、前記広角画像データから補正画像データを生成する画像補正部と、前記補正画像データを外部の機器に出力する出力部と、前記設置対象における災害の発生を検出する災害検出部と、前記災害検出部が災害の発生を検出すると、前記補正画像データに代えて前記広角画像データを前記外部の機器に送信する送信制御を行う制御部と、を備えている。
【００１７】
この監視カメラによっても、上記と同様に、監視カメラは、所定の範囲（監視エリア）を広角で撮影して広角画像データを取得する。さらに、監視カメラは、広角画像データの歪を補正した補正画像データを生成する。通常時には、監視カメラは補正画像データを外部装置に送信する。これにより、外部装置で広角画像データの歪を補正する場合に比べて、外部装置の処理負荷を軽減することができる。一方、災害時（災害の発生を検出したとき）には、監視カメラは、補正画像データの生成を待たずに、いち早く広角画像データを外部装置に送信する。これにより、災害時には、監視カメラから外部装置に、短時間で画像データを送ることができる。したがって、通常時には、外部装置への処理負荷の集中を避けることができ、災害時には、通信線の断線やネットワークの通信障害などにより監視カメラから外部装置に画像データを送信できなくなるリスクを低減することができ、監視表示装置などにおいて状況確認が可能となる。
【００１８】
本発明の画像管理システムは、移動体に備えられて画像データを撮像する監視カメラと、該監視カメラから受信した画像データを記憶するセンタ装置とを備える画像管理システムであって、前記監視カメラは、前記移動体の現在位置を取得する位置取得部と、所定の範囲を広角で撮影した広角画像データを取得する撮影部と、広角で撮影したことにより生じた前記広角画像データの歪を補正して、前記広角画像データから補正画像データを生成する画像補正部と、前記補正画像データを前記センタ装置に送信する通信部と、前記移動体の現在位置における災害の発生を検出する災害検出部と、前記災害検出部が災害の発生を検出すると、前記補正画像データに代えて前記広角画像データを前記センタ装置に送信する送信制御を行う制御部と、を備えている。
【００１９】
この構成により、監視カメラは、移動体周辺を広角で撮影して広角画像データを取得する。さらに、監視カメラは、広角画像データの歪を補正した補正画像データを生成する。通常時には、監視カメラは補正画像データをセンタ装置に送信する。これにより、センタ装置で広角画像データの歪を補正する場合に比べて、センタ装置の処理負荷を軽減することができる。一方、災害時（移動体の現在位置における災害の発生を検出したとき）には、監視カメラは、補正画像データの生成を待たずに、いち早く広角画像データを外部装置に送信する。これにより、移動体付近で災害が発生したときに、移動体周辺の広角な撮影画像について、歪み補正をキャンセルして迅速にセンタ装置に災害発生を通報することができる。
【発明の効果】
【００２０】
本発明によれば、通常時には、センタ装置への処理負荷の集中を避けることができ、災害時には、監視カメラからセンタ装置に画像データを送信できなくなるリスクを低減することができる。
【図面の簡単な説明】
【００２１】
【図１】本発明の実施の形態における画像管理システムの全体構成図である。
【図２】本発明の実施の形態における監視カメラの構成を示すブロック図である。
【図３】本発明の実施の形態における警備装置の構成を示すブロック図である。
【図４】本発明の実施の形態におけるセンタ装置の構成を示すブロック図である。
【図５】本発明の実施の形態における画像送信制御の処理の流れを示すフロー図である。
【図６】本発明の実施の形態における監視表示制御の処理の流れを示すフロー図である。
【図７】本発明の実施の形態における利用者表示制御の処理の流れを示すフロー図である。
【発明を実施するための形態】
【００２２】
以下、本発明の実施の形態の画像管理システムについて、図面を用いて説明する。本実施の形態では、施設や建物などの異常監視と災害時の被災状況確認とをあわせた画像監視サービス等に用いられる画像管理システムの場合を例示する。
【００２３】
＜全体構成＞
本発明の実施の形態の画像管理システムの構成を、図面を参照して説明する。図１は、本実施の形態の画像管理システムの全体構成を示す図である。図１に示すように、施設や建物などの物件（監視区域）には、複数の監視カメラ１と警備装置２が設置されている。複数の監視カメラ１は警備装置２と接続されており、警備装置２はネットワーク３を介して遠隔のセンタ装置４に接続されている。また、監視カメラ１もネットワーク３を介してセンタ装置４に接続されており、監視カメラ１の画像は、ネットワーク３を介してセンタ装置４へ送信される。センタ装置４は、記録処理サーバ５とＷＥＢサーバ６を備えている。センタ装置４には監視表示装置７が接続されており、監視表示装置７で監視カメラ１の画像を確認することが可能とされている。また、センタ装置４は、外部ネットワーク８に接続されており、利用者が所持する利用者端末９から監視カメラ１の画像を確認することが可能とされている。
【００２４】
例えば、センタ装置４（記録処理サーバ５およびＷＥＢサーバ６）と監視表示装置７は、監視センタに設置される。監視センタは、センタ装置４を備えた警備会社が運営する施設であり、監視カメラ１や警備装置２から受信する各種情報を監視表示装置７の表示部に表示して、監視員が監視対象を常時監視している。また、利用者端末９は、スマートフォンや携帯端末などである。利用者は、災害時に利用者端末９でＷＥＢサーバ６にアクセスし、インターネット上のポータルサイト等で監視カメラ１の画像を閲覧することができる。
【００２５】
＜監視カメラ＞
図２は、監視カメラ１の構成を示すブロック図である。図２に示すように、監視カメラ１は、光学系１０、撮像素子１１、画像アナログ／デジタルコンバータ１２、画像圧縮回路１３、通信部１４、制御部１５、記憶部１６、画像記録部１７、入出力部１８、画像補正部１９を備えている。
【００２６】
本実施の形態の監視カメラ１では、光学系１０と撮像素子１１により、撮影部が構成される。撮影部（光学系１０と撮像素子１１）は、広角レンズを通じて、広範囲画像を撮影する機能を備えている。撮影部は、ミラー（例えば湾曲した鏡）を用いて広範囲画像を撮影してもよい。広範囲画像の画像データは、広角画像データと呼ぶこともできる。なお、撮影部で撮影した画像は、撮影部の撮影範囲が広角となるほど（１８０°に近づくほど）、周囲の画像（撮影範囲の中心から離れる広範囲画像の周辺部分）に歪が生ずる。この歪の補正については後述する。
【００２７】
監視カメラ１は、予め各監視カメラ１を識別するカメラＩＤとカメラ機器種別と使用レンズ種別などの識別情報を記憶部１６に記憶して、設置対象となる監視区域内に設置されている。
【００２８】
監視カメラ１には、予め利用者により撮影情報が設定されており、監視カメラ１は、この撮影情報に基づいて撮像された画像データを取得する。撮影情報は、予め設定されて記憶部１６に記憶される。撮影情報としては、撮影間隔（フレームレート）や画質（画像サイズや圧縮率）といった撮影条件が含まれる。また、撮影情報としては、記録モードも含まれる。記録モードは、撮像する画像データを常時記録する連続記録モードと、指定された期間内に限り画像データを連続的に記録する期間記録モードと、警備装置２の監視センサから検知信号を受信したときのみ画像データを記録するセンサ連動記録モードとを有している。
【００２９】
監視カメラ１の画像アナログ／デジタルコンバータ１２では、撮像素子１１から入力される画像信号を撮影情報として記憶した撮影間隔でデジタル信号に変換する。また、監視カメラ１の画像圧縮回路１３では、撮影情報として記憶した画質に対応するパラメータに従って、画像圧縮符号化方式としてＨ．２６４／ＭＰＥＧ−４  ＡＶＣ規格に準拠した圧縮符号化データ（画像データ）を生成する。画像圧縮符号化方式としては、ＭＰＥＧ２Ｖｉｄｅｏ規格など他の規格であってよく、ＪＰＥＧ規格など静止画として生成されてもよい。また、異なる画像圧縮符号化方式のカメラがネットワーク上に混在してもよいし、一つのカメラが画像圧縮符号化方式を切り替えてもよい。
【００３０】
生成された画像データは、通信部１４から記録処理サーバ５に送信される。このとき送信される画像データには、カメラを識別するカメラ番号が含まれる。また、生成された画像データはバックアップとして、監視カメラ１の画像記録部１７に記録される。画像記録部１７は、例えば、ＨＤＤやフラッシュメモリなどで構成される。画像データには、付加情報として、カメラＩＤ、監視カメラ１の機器種別、使用レンズの機器種別、撮影条件、撮影日時などがデータのヘッダ領域などに含まれている。
【００３１】
ここでは、画像を取得するごとに記録処理サーバ５に送信する例について説明するが、本発明の範囲はこれに限られることはない。通信部１４から記録処理サーバ５に画像を送信するタイミングとしては、画像を取得するごとに常時伝送する連続送信モードや、警備装置２から異常信号の入力があったとき及び記録処理サーバ５から送信要求があったときに画像データを伝送する連動伝送モードといった公知の伝送制御モードを組み合わせた送信スケジュールとして設定されてもよい。
【００３２】
通信部１４は、ネットワーク３としての移動体通信網やインターネット網に接続されて記録処理サーバ５と通信を行う通信インタフェース（例えばＬＴＥ通信モジュールとＬＴＥアンテナ）である。なお、本発明の範囲は、監視カメラ１が直接に記録処理サーバ５と通信する例に限られない。警備装置２に画像データを出力して、警備装置２の通信部１４から記録処理サーバ５に画像データを送信するようにしてもよい。
【００３３】
制御部１５は、災害検出部１５１を備えている。災害検出部１５１は、外部の災害情報配信装置（記録処理サーバ５）から災害信号を受信することにより、災害の発生を検出して、監視カメラ１の動作モードを「災害モード」に設定する。また、災害検出部１５１は、記録処理サーバ５から災害復旧信号を受信すると、動作モードを「通常モード」に設定する。
【００３４】
災害信号は、災害が発生した地域と規模の情報を含んで広範な通信エリア内に一斉に同報送信されてよい。これを監視カメラ１の側において予め記憶した設置対象の位置情報、または、ＧＰＳ等の現在位置取得部（図示せず）にて取得される位置情報（現在位置情報）を用いて、自己に該当する災害情報の有無を判別するようにしてもよい。なお、災害情報は、記録処理サーバ５からでなく、例えば携帯電話の通信事業者などの災害情報配信サービスを提供する事業者から配信を受けるように設定されてもよく、あるいは、監視区域内で接続された警備装置２がセンサの検知により災害発生を判定して、警備装置２から災害信号を受信するようにしてもよい。
【００３５】
また、災害検出部１５１は、災害信号を受信する処理に代えて、撮像されて取得される画像データにおける特有の輝度パターンにより自律的に災害の発生を検出するようにしてもよい。特有の輝度パターンとしては、例えば、連続して取得された画像データの比較により、画像の略全体にわたる変動を検出したときに地震などの災害と判定する、または、Ｒ成分（赤成分）の輝度値が閾値を超えた画像部分の面積により火災による災害を判定するなど、種々の公知の技術が採用できる。
【００３６】
また、制御部１５は、動作モードが「通常モード」に設定されているときは、後述するように、画像補正部１９で無補正画像データに歪補正をした補正画像データを画像圧縮回路１３で圧縮した後に、通信部１４からセンタ装置４（記録処理サーバ５）に送信する送信制御を行う。他方、制御部１５は、動作モードが「災害モード」に設定されているときは、画像補正部１９で歪補正をしていない無補正画像データを画像圧縮回路１３で圧縮した後に、通信部１４からセンタ装置４（記録処理サーバ５）に送信する送信制御を行う。
【００３７】
なお、画像補正部１９が画像圧縮回路１３の後段に設けられている場合には、制御部１５は、動作モードが「通常モード」に設定されているときに、画像圧縮回路１３で圧縮した後に歪補正をした補正画像データを、通信部１４からセンタ装置４（記録処理サーバ５）に送信する送信制御を行う。他方、制御部１５は、動作モードが「災害モード」に設定されているときは、画像圧縮回路１３で圧縮した後に歪補正をしていない無補正画像データを、通信部１４からセンタ装置４（記録処理サーバ５）に送信する送信制御を行う。
【００３８】
入出力部１８は、警備装置２などの周辺機器が接続されるインタフェース（例えば有線・無線ＬＡＮモジュール）である。また、入出力部１８には、利用者のパソコンなどが接続されて監視カメラ１が取得している画像あるいは画像記録部１７に記録された画像データを参照可能となる。
【００３９】
画像補正部１９は、撮影部（光学系１０と撮像素子１１）により取得されて画像アナログ／デジタルコンバータ１２によりデジタル変換された画像データ（無補正画像データ）の入力を受けて、無補正画像データの歪を補正し、補正した画像を補正画像データとして出力する。歪を補正する際に使用する補正係数（パラメータ）は、広角レンズの特性によって異なる。例えば、画像補正部１９は、レンズの歪曲収差における補正パラメータを予めレンズごとに記憶しておき、装着されているレンズに応じて使用するパラメータを変更することができる。また、歪補正として、歪の少ない画像の中央部分を切り抜く処理を行ってもよく、この場合には画像データとして切り抜く座標を補正パラメータとして記憶しておけばよい。
【００４０】
本実施の形態では、画像補正部１９から出力された補正画像データを画像圧縮回路１３で圧縮して、センタ装置４に送信する出力用の画像データを得る。なお、画像補正部１９は、画像圧縮回路１３の後段に設けられてもよい。すなわち、無補正画像データを画像圧縮回路１３に入力して得た圧縮済み画像データを画像補正部１９に入力して、圧縮済み画像データに対して歪補正処理を行うようにしてもよい。
【００４１】
＜警備装置＞
図３は、警備装置２の構成を示すブロック図である。図３に示すように、警備装置２は、操作部２０、通信部２１、表示部２２、入出力部２３、記憶部２４、制御部２５を備えている。
【００４２】
操作部２０は、利用者の認証情報を読み取るための読取部２０１と、警備セットモードや警備解除モードを設定するために操作されるキー入力部２０２を備えている。操作部２０は、読取部２０１に利用者の認証情報（ＩＤ情報）を読み込ませて利用者を照合した上で操作が許容される。なお、操作部２０は、表示部２２の液晶モニタにタッチパネルを設けて該タッチパネルにて構成してもよい。
【００４３】
利用者のＩＤ情報を読み取る読取部２０１としては、ＲＦＩＤタグからの無線信号を読み取るタグリーダ、ＩＣカードや磁気カードのカード情報を読み取るカードリーダ、指紋や顔画像などのバイオメトリクス情報を読み取る生体情報取得手段などが適宜に設けられて良い。
【００４４】
通信部２１は、警備装置２と監視表示装置７を接続する通信インタフェースである。警備装置２と監視表示装置７は、ネットワークとしての公衆回線網やインターネットを介して接続される。本実施形態では、記録処理サーバ５を経由して監視表示装置７と接続される例について説明するが、監視表示装置７が個別に外部通信できる場合にはこれに限らず直接あるいは異なる経路を経て監視表示装置７と接続されてよい。
【００４５】
表示部２２は、液晶ディスプレイ、表示灯、スピーカなどにより構成される。表示部２２は、操作部２０の近傍あるいは一体的に設置され、操作のガイドやメニュー表示を行う機能を備えている。表示部２２は、音声報知する機能を備えてもよい。
【００４６】
入出力部２３は、監視カメラ１や防犯センサなどの周辺機器２６が接続されるインタフェースである。入出力部２３は、監視区域となる領域内／外の適宜な場所に配置された扉の開閉を検出するマグネットセンサ、赤外線にて人体を検出する赤外線センサなどの防犯センサ、煙感知器や熱感知器などの防災センサ、利用者に操作される非常ボタンなどと接続されて、各種センサから検知信号を受信する通信インタフェースである。各種センサにはそれぞれ固有の識別番号が付与されており、検知信号にはこの識別番号が含まれる。また、入出力部２３は、監視カメラ１と接続されてもよく、警備装置２が異常と判定したときに異常信号を出力する。
【００４７】
記憶部２４は、制御部２５を警備装置２として動作させるためのプログラム、各種センサのＩＤ番号毎にセンサの種類およびセンサの設置位置を対応付けたセンサ情報、警備装置２を操作する利用者を認証するための登録認証情報、動作モード履歴、異常履歴を記憶している。また、記憶部２４は、動作モードが設定されるたびに、設定時刻と設定した利用者の情報と設定された動作モードの情報を動作モード履歴として記憶する。
【００４８】
制御部２５は、警備装置２の各種の制御を行う機能を備えている。本実施の形態では、制御部２５は、照合部２５１、モード設定部２５２、異常判定部２５３を備えている。
【００４９】
照合部２５１は、操作部２０を操作入力する利用者が予め登録された利用者か否かを判定する。具体的には、照合部２５１は、操作部２０から取得した利用者のＩＤ情報が記憶部２４に予め登録されたものと一致するか（照合ＯＫであるか）否かを判定する。一致した場合には、利用者を正当な操作権限を有するものとして認証し、（モード設定部２５２により）操作部２０を通じて行われた操作による警備装置２の動作モードの移行を可能とする。
【００５０】
モード設定部２５２は、照合部２５１にて照合部２５１にて照合ＯＫと判定された利用者の操作により警備装置２の動作モードを設定する。警備装置２の動作モードとしては、少なくとも警備セットモード、警備解除モードの２種類が設定される。
【００５１】
ここで、警備セットモードとは、防犯センサから検知信号が入力されると、監視区域の異常検出と判定して、センタ装置４に異常通報するモードである。また、警備解除モードとは、防犯センサから検知信号が入力されても、監視区域の異常検出とせず、異常通報しないモードをいう。なお、火災センサ、非常ボタンによる検知信号は常時監視されており、警備セットモードと警備解除モードの何れのモードであっても異常通報される。利用者は、例えば警備対象が無人になるときに操作部２０を操作して警備セットモードを設定し、警備対象に入るときに操作部２０を操作して警備解除モードを設定する。
【００５２】
モード設定部２５２は、警備装置２の動作モードが設定されると、設定された動作モードを示すモード設定信号を通信部２１より記録処理サーバ５に送信する。
【００５３】
異常判定部２５３は、センサから検知信号を受信すると、現在のモード及び記憶部２４のセンサ情報と比較して異常の有無を判定する。また、異常判定部２５３は、警備セットモードに設定されているときに、各種センサの何れかから検知信号を受信すると異常と判定し、警備解除モードに設定されているときに、防災センサ、非常ボタンの何れかから検知信号を受信すると異常と判定する。異常判定部２５３は、異常と判定するとかかる異常を示す異常信号を通信部２１より記録処理サーバ５に送信する。異常信号は、警備装置２の識別番号、異常を検知したセンサのＩＤ番号、センサの種類及びその設置位置の情報を含む。また、異常判定部２５３は、異常と判定した検知信号の送信元において事象が復旧したことを判定すると復旧信号を記録処理サーバ５に送信する。
【００５４】
＜センタ装置＞
図４は、センタ装置４の構成を示すブロック図である。図４に示すように、センタ装置４は、記録処理サーバ５とＷＥＢサーバ６を備えている。記録処理サーバ５は、情報記憶部５０、災害判定部５１、異常検出部５２、画像蓄積部５３、画像データ変換部５４、監視表示制御部５５、利用者表示制御部５６を備えている。
【００５５】
情報記憶部５０は、監視カメラ１の設置された設置地域情報として、住所や地域、近隣の主要施設（ランドマーク）など監視区域の情報とカメラ番号および警備装置２の識別番号を対応させた管理情報を予め記憶している。また、管理情報には、監視カメラ１ごとに設置時に登録される情報として、設置箇所が屋内か屋外かを識別する屋外フラグ情報が記憶されている。屋外フラグがＯＮであれば屋外に設置されることを示す。管理情報は、各種のフラグを備えたテーブル情報として管理され、警備装置２の動作モード設定や異常の有無、災害の有無などに応じて随時更新される。
【００５６】
また、情報記憶部５０は、警備装置２ごとに現在設定されている動作モードを管理情報に記憶している。動作モードは、記録処理サーバ５が警備装置２からモード設定信号を受信すると、管理情報において該当する警備装置２に対応させて現在モード情報として記録される。さらに、情報記憶部５０は、監視区域ごとに対応させて利用者の照合情報として、ＩＤとパスワードを記憶している。
【００５７】
災害判定部５１は、情報提供元装置（外部装置）から災害発生地域の情報を含む災害情報を受信する。例えば、災害判定部５１は、情報提供元装置である公的機関など災害情報の配信プロバイダの情報配信装置から災害情報の配信を受けると、これを受信時刻とともに記憶する。災害情報は、例えば緊急地震速報であるが、その他、津波予測の情報、台風警報、火災に関する情報など、種々の災害に関する情報が災害情報として配信されてよい。
【００５８】
災害判定部５１は、震度や降水量、風速といった災害の強さを示すパラメータ（災害強度）を災害強度閾値として予め記憶し、災害強度閾値を上回る災害情報を受信したときに対処すべき災害の発生を判定する。災害判定部５１は、災害発生と判定したときにその災害発生地域に何れかの監視区域が含まれているか判定し、含まれている場合には当該監視区域に対応する監視カメラ１および警備装置２について災害フラグをＯＮにする（管理情報のテーブル上で災害フラグを有効にする）。災害判定部５１は、災害フラグをＯＮにしてから所定期間が経過すると災害フラグをＯＦＦにする。所定期間は、災害情報の災害強度に応じて予め設定された期間である。例えば、災害情報が緊急地震速報である場合、震度３のときには所定期間が１日に設定され、震度６のときには所定期間が１週間に設定される。
【００５９】
本実施の形態では、災害判定部５１は、災害フラグをＯＮにした監視区域に対応する監視カメラ１に対し、災害信号を送信する。また、災害判定部５１は、災害フラグをＯＦＦにした監視区域に対応する監視カメラ１に対し、災害復旧信号を送信する。
【００６０】
異常検出部５２は、監視カメラ１や警備装置２から入力される情報（異常信号）に基づき監視区域の異常を検出する。警備装置２から異常信号が入力されると、管理情報において該当する監視区域の異常フラグをＯＮにする（管理情報のテーブル上で異常フラグを有効にする）。また、監視カメラ１から入力される画像データより変化量が所定以上である場合などに異常と判定してもよい。また、異常検出部５２は、監視カメラ１や警備装置２から入力される情報（復旧信号）に基づき監視区域の異常復旧を判定して、該当する監視区域の異常フラグをＯＦＦにする。
【００６１】
画像蓄積部５３は、監視カメラ１から取得した画像データ（補正画像データおよび無補正画像データ）と、この画像データを管理するためのデータテーブルを記憶している。画像データの記録領域は、予めカメラごとあるいは監視区域ごとに区分され、画像データを受信することにより該当する監視カメラ１の画像データが記録される。
【００６２】
データテーブルは、記録された画像データを識別するための情報であって、画像データの記録ＩＤと、画像データの付加情報（カメラＩＤ、監視カメラ１の機器種別、使用レンズの機器種別、撮影条件、撮影日時）とが、画像データを記録したアドレス情報と対応付けて記録される。これにより、監視カメラ１ごとに、受信する補正画像データと無補正画像データとが対応づけられて記憶される。
【００６３】
画像データ変換部５４は、監視カメラ１から取得した画像データを予め設定された精細度にダウンコンバートして、低精細画像データに変換する。具体的には、画像データ変換部５４は、監視カメラ１から受信した画像データが、予め設定された解像度（例えばＶＧＡ解像度）より高画質であればダウンコンバートを行い、ＶＧＡ解像度の低精細画像データに変換する。変換された低精細画像データは、変換前の基礎の画像データ（監視カメラ１から受信した画像データ）と対応させて画像蓄積部５３に記録される。
【００６４】
ここでは、ダウンコンバートの内容として解像度を低下させる例について説明しているが、本発明の範囲は、これに限定されない。画像データ変換部５４は、フレームレートを低下させる、あるいは圧縮率を上げる、またはこれらの組合せにより精細度を低下させるようにしてもよい。
【００６５】
また、ここでは、画像データ変換部５４が画像データの取得時にダウンコンバートを行い予め低精細画像データを記憶しておく例について説明したが、本発明の範囲はこれに限定されない。利用者表示制御部５６から画像データを出力する際に、画像データ変換部５４がダウンコンバートを行い低精細画像データへの変換を行ってもよい。
【００６６】
さらに、画像データを取得した監視カメラ１について既に災害フラグがＯＮになっている場合には、災害判定部５１にて判定した災害発生地域の多さ（広さあるいは含まれる地域の数）によって、ダウンコンバートする度合い（精細度）を異ならせるようにしてもよい。例えば、当該災害の災害情報に含まれた災害発生地域が多くなるほど精細度が低下するようにする。例えば、災害発生地域が「東京都全域」である場合のほうが「東京都千代田区のみ」である場合よりダウンサイズするようにする。これによって潜在的な閲覧需要者が増えるほど画像データのデータサイズを小さくすることができる。
【００６７】
本実施の形態では、画像データ変換部５４は、監視カメラ１から取得した画像データが無補正画像データである場合には、無補正画像データの歪を補正し、補正した画像を補正画像データ（災害画像データ）として出力する。この補正画像データ（災害画像データ）は、変換前の基礎の画像データ（無補正画像データ）と対応させて画像蓄積部５３に記録される。また、画像データ変換部５４は、この補正画像データを低精細画像データに変換して、画像蓄積部５３に記録する。そのために、記録処理サーバ５は、監視カメラ１が使用するレンズごとに、レンズの歪曲収差における補正パラメータを情報記憶部５０に記憶している。
【００６８】
監視表示制御部５５は、監視対象の情報及び異常の情報とともに、監視カメラ１から受信した画像データを監視表示装置７に出力する。監視表示制御部５５は、画像データを受信したときに、管理情報において該当する監視区域の異常フラグがＯＮになっていればこれを監視表示装置７に出力する。また、監視表示装置７から画像データの要求を受け付けたときに、要求された画像データに対応する監視区域の異常フラグがＯＮとなっていればこの画像データを画像蓄積部５３より読み出して監視表示装置７に出力する。
【００６９】
このように、監視員に提供する画像データは、オリジナルの精細度を維持した画像データとすることで、異常時にその原因を画像から把握できるようにするとともに、画像の証拠性を高めるようにしている。
【００７０】
本実施の形態では、監視表示制御部５５は、監視カメラ１から受信した画像データを監視表示装置７に出力するときに、対象の画像データについて補正画像データが画像蓄積部５３に記憶されていれば、これを優先して出力する。補正画像データが画像蓄積部５３に記憶されていない場合には、無補正画像データを出力する。
【００７１】
利用者表示制御部５６は、ＷＥＢサーバ６が利用者からの閲覧要求を受けつけたときに、要求された地域に災害が発生していれば、当該地域に対応する画像データについて、低精細画像データを読み出して地域情報とともにＷＥＢサーバ６に出力し、利用者端末９に送信する。すなわち、このとき利用者端末９に送信する画像は、対応する監視カメラ１が広角で撮影するものであった場合には、災害時に無補正でセンタ装置４に送信され、画像データ変換部５４で歪補正して得られた補正画像データ（災害画像データ）を低精細に加工したものとなる。また、このとき出力する地域情報は、市町村名の区分など、ある程度広域な地域範囲を示す情報である。
【００７２】
利用者表示制御部５６は、閲覧要求信号として利用者端末９から地域情報の入力を受けると、管理情報からこの地域情報に該当する監視区域を抽出する。利用者表示制御部５６は、管理情報において該当する監視区域の災害フラグがＯＮで、且つ屋外フラグがＯＮになっている監視カメラ１についてのみ利用者が画像を閲覧できるように制御する。そのため、利用者表示制御部５６は、利用者から閲覧要求を受けつけたときに、管理情報において該当する監視区域の災害フラグがＯＮになっていれば、対応する屋外フラグがＯＮの監視カメラ１について最も直近の記録単位となる低精細画像データを読み出してＷＥＢサーバ６に出力する。災害フラグがＯＦＦであれば、または、対応する監視カメラ１が全て屋外フラグＯＦＦであれば、画像データは読み出さず、エラーメッセージを返す。
【００７３】
このように、利用者に提供する画像データは、オリジナルの画像データに対して、データサイズが小さいものを用いることができる。これにより、ピーク性の高い災害時画像の提供サービスにおいて、災害時にアクセスが集中したとしても、処理遅延やシステムの停止に陥る可能性を低減して利用者に継続的に画像提供することが可能となる。
【００７４】
なお、かかる処理の例外として、利用者表示制御部５６は、ＷＥＢサーバ６を介して利用者から監視区域を指定する情報とＩＤ／パスワードが認証信号として入力されると、情報記憶部５０に記憶した照合情報と照合して、指定された監視区域または監視カメラ１についての照合ＯＫと判定されれば、災害フラグと屋外フラグに拘わらず画像の閲覧を許容する。特にこの場合には、低精細画像データでなく、ダウンコンバートしていない基礎の画像データ（監視カメラ１から受信した画像データ）を利用者端末９に出力してよい。これにより、特定利用者となる監視カメラ１設置対象の正当な利用者は、ＷＥＢサーバ６を介し自己の管理範囲の画像を確認することができる。
【００７５】
ＷＥＢサーバ６は、アクセス受付部６０を備えている。アクセス受付部６０は、利用者端末９からのアクセスを受け付ける機能を備えている。
【００７６】
利用者は、パソコンやスマートフォンなどクライアント装置となる利用者端末９から、専用アプリケーション或いはＷＥＢブラウザなどを利用してＷＥＢサーバ６のアクセス受付部６０に設定されたポータルサイトのＵＲＬにアクセスすることで、閲覧可能に公開されている監視カメラ１の画像データを指定して、参照することができる。
【００７７】
また、利用者は、予め設定されたＩＤとパスワードなど照合情報を入力することで、自己に対応する監視区域の監視カメラ１の画像データを参照することができる。
【００７８】
ＷＥＢサーバ６は利用者端末９からのアクセスを受け付けて画像データを出力する。ＷＥＢサーバ６は利用者からアクセスがあると利用者が画像データの閲覧を希望する地域情報を指定する入力部と、利用者の照合情報を入力する入力部が実装されたポータルサイトのＷＥＢページを利用者端末９に送信する。利用者は、当該ＷＥＢページにて閲覧を希望する地域情報を指定して、画像データを要求する閲覧要求信号をＷＥＢサーバ６に送信する。例えば、市区町村名の区分、あるいは町域の区分までが地域情報として指定可能となる。このほか、地域情報として近隣の主要施設（ランドマーク）を指定可能にしてもよい。あるいは、予め監視センタから照合情報を取得している利用者は、自己の照合情報を入力して認証を要求する認証信号をＷＥＢサーバ６に送信する。
【００７９】
ＷＥＢサーバ６は、利用者端末９から入力された情報を利用者表示制御部５６に出力する。利用者表示制御部５６において、該当する画像データを参照可能と判定された場合に利用者端末９へ画像データを提供する際は、ファイル転送またはストリーミングなど周知の方法を採用してよい。該当する画像データとは、災害の発生により一時的に災害フラグがＯＮになっている屋外設置の監視カメラ１の画像データと、予め照合情報に対応して閲覧が許可されている監視カメラ１（例えば設置対象の利用者）である。
【００８０】
＜監視表示装置＞
監視表示装置７は、１又は複数のコンピュータとその操作部および表示部で構成されており、記録処理サーバ５から受信する画像データや監視区域の名称および住所など各種情報を表示部に表示し、監視員が監視対象を常時監視している。監視表示装置７は、監視対象やそこに設置された警備装置２の情報を記憶したデータベースとして記録処理サーバ５の管理情報にアクセス可能となる。
【００８１】
監視表示装置７の表示部には、警備装置２からの異常に基づいて対処すべき監視対象の情報及び異常の情報と、監視対象に設置された監視カメラ１の画像データが表示される。例えば、監視区域の名称および住所など設置対象の物件を特定する情報が表示される。監視員は、かかる表示を見て監視区域に異常が発生していると判断すると、監視対象への対処員の対処指示などの必要な措置をとる。例えば、監視員は受信する画像データを表示部にて確認し、炎や煙など火災の発生が認められれば対処員に監視対象への対処指示を行うとともに１１９番通報を行う。
【００８２】
以上のように構成された画像管理システムについて、図面を参照してその動作を説明する。
【００８３】
本発明の実施の形態の画像管理システムにおいて、監視カメラ１からセンタ装置４に画像が送信される場合には、図５に示すような画像送信制御が実行される。画像送信制御は、監視カメラ１で実行される。
【００８４】
図５に示すように、監視カメラ１で、まず、撮影部（光学系１０と撮像素子１１）で広角画像データ（無補正画像データ）が取得されると（Ｓ１００）、記録処理サーバ５から災害情報を受信しているか否かの判定が行われる（Ｓ１０１）。記録処理サーバ５から災害情報を受信していない場合、すなわち、動作モードが「通常モード」に設定されている場合には、画像補正部１９で画像処理（歪補正処理）が行われ、補正画像データが生成される（Ｓ１０２）。そして、監視カメラ１は、補正画像データをセンタ装置４へ送信する（Ｓ１０３）。記録処理サーバ５から災害情報を受信している場合、すなわち、動作モードが「災害モード」に設定されている場合には、監視カメラ１は、補正画像データの生成を省略して、広角画像データ（無補正画像データ）をセンタ装置４へ送信する（Ｓ１０４）。センタ装置４では、この広角画像データを受信すると、歪補正が行われ、補正画像データ（災害画像データ）が取得されるとともに、低精細画像への変換が行われる。
【００８５】
本発明の実施の形態の画像管理システムにおいて、異常時に監視表示装置７で監視カメラ１の画像を確認する場合には、図６に示すような監視表示制御が実行される。監視表示制御は、センタ装置４の記録処理サーバ５（主に監視表示制御部５５）で実行される。
【００８６】
監視表示制御は、監視区域で異常が検出されたときに実行される。したがって、まず、記録処理サーバ５で、監視区域で異常が検出されたか否かの判定が行われる（Ｓ１）。そして、異常が検出された場合には、その監視区域（異常が検出された監視区域）の画像データを監視員が選択可能なように監視表示装置７に提供する（Ｓ２）。このとき、対象の画像データについて補正画像データが画像蓄積部５３に記憶されていれば、これを優先して監視表示装置７に提供する。補正画像データが画像蓄積部５３に記憶されていない場合には、無補正画像データを監視表示装置７に提供する。
【００８７】
監視員が監視表示装置７で（例えばその画像をクリックするなどして）画像データを選択すると、記録処理サーバ５は、選択された画像データを読み出して（Ｓ３）、その画像データと設置対象（監視区域）を特定する情報（監視区域の名称および住所など）を監視表示装置７に出力する（Ｓ４）。異常が復旧するまでの間、このように選択された画像データの出力を繰り返す。その後、監視区域の異常が復旧すると（Ｓ５）、画像データの出力を禁止して（Ｓ６）、処理を終了する。
【００８８】
本発明の実施の形態の画像管理システムにおいて、災害時などに利用者端末９で監視カメラ１の画像を確認する場合には、図７に示すような利用者表示制御が記録処理サーバ５で実行される。利用者表示制御は、センタ装置４の記録処理サーバ５（主に利用者表示制御部５６）で実行される。
【００８９】
利用者表示制御は、ＷＥＢサーバ６を介して利用者端末９からの閲覧要求があったときに実行される。利用者端末９からの閲覧要求があった場合（Ｓ１０）、まず、その利用者が特定利用者であるか否かの判定が行われる（Ｓ１１）。特定利用者でない場合（すなわち、固有の照合情報の入力がない一般利用者である場合）、閲覧要求があった監視区域の災害フラグがＯＮか否かを判定する（Ｓ１２）。災害フラグがＯＮである場合、閲覧可能な監視カメラ１の画像があるか否かを判定する（Ｓ１３）。閲覧可能な監視カメラ１とは、災害フラグがＯＮで、且つ、屋外フラグがＯＮの監視カメラ１である。
【００９０】
閲覧可能な監視カメラ１の画像がある場合には、その監視カメラ１の低精細画像を読み出して（Ｓ１４）、その低精細画像とこの監視カメラ１の地域情報を利用者端末９に出力する（Ｓ１５）。特に、このときには市町村名の区分あるいは町域の区分までが地域情報として出力される。その後、災害フラグがＯＦＦになったか否かを判定する（Ｓ１６）。災害フラグがＯＦＦになると、低精細画像の出力を禁止して（Ｓ１７）、処理を終了する。また、災害フラグがＯＮのままでも、利用者端末９から閲覧終了の入力を受け付けると（Ｓ１８）、処理を終了する。
【００９１】
利用者が特定利用者である場合には、ＷＥＢサーバ６から入力される認証信号と照合情報を照合してその特定利用者に対応する監視区域を特定し（Ｓ１９）、その監視区域の画像データを利用者が選択可能なように利用者端末９に提供する（Ｓ２０）。利用者が利用者端末９で（例えばその画像をクリックするなどして）画像データを選択すると、記録処理サーバ５は、選択された画像を読み出して（Ｓ２１）、その画像データと設置対象（監視区域）を特定する情報（監視区域の名称および住所など）を利用者端末９に出力する（Ｓ２２）。その後、利用者端末９から閲覧終了の入力を受け付けると（Ｓ２３）、処理を終了する。
【００９２】
このような本実施の形態の画像管理システムによれば、監視カメラ１は、所定の範囲（監視エリア）を広角で撮影して広角画像データ（無補正画像データ）を取得する。さらに、監視カメラ１は、広角画像データの歪を補正した補正画像データを生成する。通常時には、監視カメラ１は補正画像データをセンタ装置４に送信する。これにより、センタ装置４で広角画像データの歪を補正する場合に比べて、センタ装置４の処理負荷を軽減することができる。一方、災害時（災害情報を受信したとき）には、監視カメラ１は、補正画像データの生成をキャンセルして、いち早く広角画像データをセンタ装置４に送信する。これにより、災害時には、監視カメラ１からセンタ装置４に短時間で画像データを送ることができる。したがって、通常時には、センタ装置４への処理負荷の集中を避けることができ、災害時には、通信線の断線やネットワークの通信障害などにより監視カメラ１からセンタ装置４に画像データを送信できなくなるリスクを低減することができる。
【００９３】
また、本実施の形態では、災害時に、監視カメラ１からセンタ装置４に広角画像データ（無補正画像データ）が送信された場合には、センタ装置４で、広角画像データの歪を補正した災害画像データ（補正画像データ）を生成する。この災害画像データ（補正画像データ）は、広角画像データ（無補正画像データ）と対応づけて画像蓄積部５３に記憶される。これにより、災害時に、監視カメラ１からセンタ装置４に補正画像データが送信されなかった場合であっても、センタ装置４で災害画像データ（補正画像データ）を生成して、監視表示装置７や利用者端末９などへ提供することが可能になる。
【００９４】
また、本実施の形態では、利用者端末９からの要求に応じて、センタ装置４から利用者端末９へ災害画像データを送信する。これにより、利用者端末９のユーザ（利用者）は、災害時に、監視カメラ１からセンタ装置４に補正画像データが送信されなかった場合であっても、災害画像データ（センタ装置４で広角画像データの歪を補正した画像データ）を確認することができる。
【００９５】
以上、本発明の実施の形態を例示により説明したが、本発明の範囲はこれらに限定されるものではなく、請求項に記載された範囲内において目的に応じて変更・変形することが可能である。
【００９６】
なお、本実施の形態においては、監視カメラ１の設置対象として施設や建物などの物件を例に説明したが、設置対象はこれに限定されず、人や車両、飛行体などの移動体に監視カメラ１が保持されて移動体周辺を広角で撮影するようにしてもよい。この場合、監視カメラ１の災害検出部１９は、移動体の利用者による災害通報ボタンなどの操作により移動体における災害の発生を検出してよい。これにより、移動体付近で災害が発生したときに、移動体周辺の広角な撮影画像について、歪み補正をキャンセルして迅速にセンタ装置４に災害発生を通報することができる。
【００９７】
また、移動体に保持された監視カメラ１は、移動体の現在位置を取得する位置取得部を備えてもよく、この現在位置に応じて災害検出部１９が災害の発生を検出するようにしてもよい。例えば、監視カメラ１が自己の現在位置を定期的にセンタ装置４に送信して、センタ装置４にて災害信号を送信するときに災害地域に該当する位置情報の移動体（監視カメラ１）に送信し、これを受信した監視カメラ１の災害検出部１９が災害の発生を検出するようにしてもよい。あるいは、センタ装置４が災害地域と災害規模の情報を含めて一斉同報で災害信号を送信して、監視カメラ１の災害検出部１９の側で現在位置情報に合致する災害地域と災害規模の情報が含まれていれば災害発生と判定するようにしてもよい。これによっても、移動体付近で災害が発生したときに、移動体周辺の広角な撮影画像について、歪み補正をキャンセルして迅速にセンタ装置４に災害発生を通報することができる。
【産業上の利用可能性】
【００９８】
以上のように、本発明にかかる画像管理システムは、センタ装置への処理負荷の集中を避けることができ、災害時には、監視カメラからセンタ装置に画像データを送信できなくなるリスクを低減することができるという効果を有し、施設や建物などの異常監視と災害時の被災状況確認とをあわせた画像監視サービス等に用いられ、有用である。
【符号の説明】
【００９９】
１  監視カメラ
２  警備装置
３  ネットワーク
４  センタ装置
５  記録処理サーバ
６  ＷＥＢサーバ
７  監視表示装置
８  外部ネットワーク
９  利用者端末
１０  光学系
１１  撮像素子
１２  画像アナログ／デジタルコンバータ
１３  画像圧縮回路
１４  通信部
１５  制御部
１５１  画像補正部
１６  記憶部
１７  画像記録部
１８  入出力部
１９  災害検出部
２０  操作部
２０１  読取部
２０２  キー入力部
２１  通信部
２２  表示部
２３  入出力部
２４  記憶部
２５  制御部
２５１  照合部
２５２  モード設定部
２５３  異常判定部
２６  周辺機器
５０  情報記憶部
５１  災害判定部
５２  異常検出部
５３  画像蓄積部
５４  画像データ変換部（画像処理部）
５５  監視表示制御部
５６  利用者表示制御部
６０  アクセス受付部
【図１】
0006375213.tif 000002
【図２】
0006375213.tif 000003
【図３】
0006375213.tif 000004
【図４】
0006375213.tif 000005
【図５】
0006375213.tif 000006
【図６】
0006375213.tif 000007
【図７】
0006375213.tif 000008